(57)【要約】【課題】可変入賞装置に同時に入賞した２個の遊技球による球詰まりを解消する。【解決手段】パチンコ機において、可変入賞装置７を左右一対の羽根９，１０と、羽根９，１０を開閉する単一のソレノイド１３と、ソレノイド１３の動力を羽根９，１０に伝える動力伝達部材１４とから構成する。動力伝達部材１４に相似形状をなす左右一対の係合凹部２３を形成し、羽根９，１０に係合凹部２３と係合する突起２２を設ける。左側の係合凹部２３の一部を切り欠いて始動遅れ発生部２５を設け、左羽根９を右羽根１０より遅く閉鎖方向へ始動させる。【選択図】　　　　図４
2004141300.tif 000002
【特許請求の範囲】
【請求項１】
単一のソレノイドで左右一対の羽根を開閉し、開放状態で遊技球の入賞率が閉鎖状態より高くなる可変入賞装置を備えた遊技機において、
前記可変入賞装置に、左右の羽根を異なるタイミングで閉鎖方向へ始動させる差動手段を設けたことを特徴とする遊技機。
【請求項２】
前記差動手段がソレノイドの動力を左右の羽根に伝える動力伝達部材を含み、動力伝達部材と一方の羽根との連結箇所に始動遅れ発生部を設けたことを特徴とする請求項１に記載の遊技機。
【請求項３】
前記動力伝達部材と左右の羽根との連結箇所に相似形状の係合部を形成し、一方の係合部の一部を切り欠いて前記始動遅れ発生部を設けたことを特徴とする請求項２に記載の遊技機。
【発明の詳細な説明】
【０００１】
【発明の属する技術分野】
本発明は、可変入賞装置を備えた遊技機に関するものである。
【０００２】
【従来の技術】
可変入賞装置は普通電動役物とも呼ばれ、一般に、左右一対の羽根を単一のソレノイドで同時に開閉し、開放状態で遊技球の入賞率が閉鎖状態より高くなるように構成されている。このため、開放状態で複数の遊技球が一度に入賞すると、入球孔の直前で球詰まりを発生し、羽根を閉鎖できなくなることがある。
【０００３】
下記の特許文献１には、３個の遊技球が三角形に球詰まりしやすい点に着目し、入球孔の上縁に切欠を設け、上側の遊技球を切欠を通して入球孔内部に誘導することで、３個の遊技球による球詰まりを解消する技術が記載されている。
【特許文献１】特開平１１−２０６９７８号公報。
【０００４】
【発明が解決しようとする課題】
しかし、この従来技術は、２個の遊技球による球詰まりを解消するには不充分であった。球詰まりは、特に、２個の遊技球が左右から同時に入賞した直後に羽根が閉じた場合に発生しやすい。図８に示すように、従来の可変入賞装置５０は、左右の羽根を同時に閉じているため、（ａ）に示すように、２個の遊技球Ｐが同時に入賞した直後に、（ｂ）に示すように、左右の羽根５１，５２が同時に閉じると、横に並んだ２個の遊技球Ｐが左右から挟み付けられ、力の均衡によって球詰まりを発生する。従って、３個目の遊技球を除去したとしても、下側２個の遊技球Ｐは依然として入球孔５３の直前に残るという問題点があった。
【０００５】
そこで、本発明の目的は、可変入賞装置に同時に入賞した２個の遊技球による球詰まりを確実に解消できる遊技機を提供することにある。
【０００６】
【課題を解決するための手段及び作用・効果】
上記の課題を解決するために、請求項１の発明は、単一のソレノイドで左右一対の羽根を開閉し、開放状態で遊技球の入賞率が閉鎖状態より高くなる可変入賞装置を備えた遊技機において、可変入賞装置に、左右の羽根を異なるタイミングで閉鎖方向へ始動させる差動手段を設けたことを特徴とする。
【０００７】
この構成によれば、２個の遊技球が同時に入賞して横に並んだ直後に羽根が閉じたとしても、左右の羽根が異なるタイミングで閉鎖方向へ始動するので、２個の遊技球に左右から不均衡な力が作用して、遊技球の横並びが崩れる。従って、２個の遊技球による球詰まりを確実に解消して、左右の羽根をスムーズに閉鎖することができる。
【０００８】
請求項２の発明は、差動手段がソレノイドの動力を左右の羽根に伝える動力伝達部材を含み、動力伝達部材と一方の羽根との連結箇所に始動遅れ発生部を設けたことを特徴とする。この構成によれば、一方の羽根の始動遅れがその羽根の間近で発生するので、左右の羽根を異なるタイミングで正確に始動して、球詰まりを確実に解消できる利点がある。
【０００９】
請求項３の発明は、動力伝達部材と左右の羽根との連結箇所に相似形状の係合部を形成し、一方の係合部の一部を切り欠いて始動遅れ発生部を設けたことを特徴とする。具体的には、動力伝達部材に左右一対の係合部を相似する形状で形成してもよく、左右の羽根にそれぞれ係合部を相似する形状で形成してもよい。何れの場合も、相似形状をなす係合部の一方に始動遅れ発生部を簡単に切欠加工することができる。また、係合部が相似形状で形成されているので、一対の羽根を、閉鎖方向の始動タイミングだけ相違させ、その他のタイミングは左右等しくして、可変入賞装置を外観上の違和感なく動作させることができる。
【００１０】
【発明の実施の形態】
以下、本発明を第１種パチンコ機に具体化した実施の形態を図面に基づいて説明する。
＜第１実施形態＞
図１に示すように、パチンコ機の遊技盤１には、略中央に特別図柄表示装置２が設置され、その上側に３個のＬＥＤからなる普通図柄表示装置３が設けられている。特別図柄表示装置２の左右両側には普通図柄作動ゲート４が設けられ、ここに遊技球が入賞したときに普通図柄表示装置３が作動する。特別図柄表示装置２の下側には左右２本の釘５により第１種始動口６が形成され、第１種始動口６の下側に可変入賞装置７が設置されている。
【００１１】
可変入賞装置７のケーシング８には、開閉自在な左右一対の羽根９，１０と、遊技盤１の裏面側に通じる入球孔１１とが設けられている。そして、この実施形態の可変入賞装置７は、普通図柄表示装置３に当たり図柄が表示されたときに、左右の羽根９，１０を開いて遊技球の入賞率を閉鎖状態より高くし、所定時間が経過したのちに、羽根９，１０を閉じなるように構成されている。なお、入球孔１１の奥部には、第１種始動口６及び可変入賞装置７に入賞した遊技球の数をカウントするスイッチ（図示略）が設けられ、そのカウント数に応じた回数で特別図柄表示装置２が作動する。
【００１２】
図２に示すように、可変入賞装置７には単一のソレノイド１３と、ソレノイド１３の動力を左右の羽根９，１０に伝える動力伝達部材１４とが装備されている。左右の羽根９，１０は支軸１５でケーシング８に回動可能に支持され、ソレノイド１３により動力伝達部材１４を介して左右方向へ開閉される。ソレノイド１３のプランジャ１６は水平に配置され、その前端に駆動片１７が取り付けられている。動力伝達部材１４は左右一対の回動板１８を結合部１９で一体結合して構成され、回動板１８には、駆動片１７の周溝２０に嵌合する嵌合部２１と、羽根９，１０の突起２２に係合する係合凹部２３と、ケーシング８に支持される軸部２４とが設けられている。
【００１３】
図３〜図５に示すように、左右の係合凹部２３は、動力伝達部材１４と左右の羽根９，１０との連結箇所において互いに相似する形状で形成されている。左側の回動板１８の係合凹部２３には、左右の羽根９，１０を開放状態から閉じるときに、左羽根９に始動遅れを発生させるための始動遅れ発生部２５が設けられている。この始動遅れ発生部２５は、左羽根９の突起２２に上側から係合する部位を部分的に切り欠くことによって、左側の係合凹部２３の一部に設けられている。また、左羽根９の突起２２には、左側の係合凹部２３の形状変化に適応する切欠２６が設けられている。ただし、この切欠２６は任意の形状部であって、係合凹部２３の形状や回動板１８の回動量によっては省略することも可能である。
【００１４】
次に、上記のように構成された可変入賞装置７の動作について説明する。図２（ａ）に示すように、ソレノイド１３の消磁状態では、プランジャ１６が突出し、羽根９，１０が閉じている。この状態で、ソレノイド１３が励磁されると、図２（ｂ）に示すように、プランジャ１６が没入し、動力伝達部材１４の回動板１８が軸部２４を中心に回動し、図３に示すように、左右の係合凹部２３の下面が羽根９，１０の突起２２を同時に上昇させる。これにより、左右の羽根９，１０が支軸１５を中心に外側へ回動し、可変入賞装置７が開放状態となる。このとき、左右の係合凹部２３が相似形状をなすため、羽根９，１０が左右正対称に見栄えよく開放される。
【００１５】
可変入賞装置７の開放状態で、ソレノイド１３が消磁されると、図４に示すように、プランジャ１６が突出し、左右の回動板１８が回動し始める。この回動初期には、左側の係合凹部２３に始動遅れ発生部２５が設けられているため、左羽根９が右羽根１０より所定の時間遅れて閉じ始める。すなわち、右側の係合凹部２３の上面が右側の突起２２を押し下げ、右羽根１０が閉鎖方向へ回動し始めたのちに、左側の係合凹部２３の上面が左側の突起２２を押し下げ、左羽根９が閉鎖方向へ回動し始める。この実施形態では、始動遅れ発生部２５が左羽根９の間近に設けられているので、組付誤差等による影響を少なくして、両方の羽根９，１０の差動タイミングを正確にとることができる。なお、左羽根９の始動遅れ量を、図４（ａ）に右羽根１０との高低差ｈで示した。
【００１６】
従って、２個の遊技球Ｐが左右から同時に入賞して横に並んだ直後に羽根９，１０が閉じたとしても、左羽根９の始動遅れにより２個の遊技球Ｐに左右から不均衡な力が作用し、遊技球Ｐの横並びが崩れる。それ故、遊技球Ｐを一つずつ入球孔１１に送り、球詰まりを解消して、左右の羽根９，１０をスムーズに閉鎖することができる。その後、回動板１８がさらに回動すると、図５に示すように、左右の係合凹部２３の上面角部が突起２２に係合し、プランジャ１６の突出端で、可変入賞装置７が閉鎖状態となる。この場合も、左右の係合凹部２３が互いに相似する形状で形成されているため、羽根９，１０を左右正対称の見栄えのよい形態で閉鎖することができる。
【００１７】
＜第２実施形態＞
次に、可変入賞装置の第２実施形態について説明する。図６に示すように、可変入賞装置２８のソレノイド２９は、遊技盤１の裏面側で羽根９，１０から側方へ離れた位置に縦向きに設置され、垂直なプランジャ３０の上端に駆動片３１が取り付けられている。動力伝達部材３２は、ソレノイド側の第１揺動体３３と、羽根側の第２揺動体３４とを直角に組み合わせて構成されている。第１揺動体３３には、前後に延びる軸部３５と、駆動片３１を挟持する挟持部３６と、第２揺動体３４に連結される連結片３７とが設けられている。第２揺動体３４には、左右に延びる軸部３８と、連結片３７が嵌入する嵌入部３９と、羽根９，１０に連結される左右一対のピン４０とが設けられている。
【００１８】
左右の羽根９，１０には、動力伝達部材３２との連結箇所において、ピン４０が挿入により係合する係合孔部４１が互いに相似する弓形に形成されている。図７に示すように、右側の係合孔部４１には、左右の羽根９，１０を開放状態から閉じるときに、右羽根１０に始動遅れを発生させるための始動遅れ発生部４２が設けられている。この始動遅れ発生部４２は、右側のピン４０に下側から係合する部位を部分的に切り欠くことによって、右羽根１０の一部に設けられている。左右の羽根９，１０は、第１実施形態と同様、支軸１５でケーシング８（図１参照）に回動可能に支持され、ケーシング８は特別図柄表示装置２の下側において遊技盤１に取り付けられている。
【００１９】
上記構成の可変入賞装置２８においては、図６（ａ）に示すように、ソレノイド２９の消磁状態で、プランジャ３０が下降し、羽根９，１０が閉じている。この状態で、ソレノイド２９が励磁されると、図６（ｂ）に示すように、プランジャ３０が上昇し、動力伝達部材３２の第１及び第２揺動体３３，３４がそれぞれ軸部３５，３８を中心に回動する。そして、図７（ａ）に示すように、左右のピン４０が係合孔部４１の内周面に摺接して上昇し、係合孔部４１の弓形形状に従い、左右の羽根９，１０が支軸１５を中心に外側へ回動し、可変入賞装置２８が開放状態となる。このとき、左右の係合孔部４１が相似形状をなすため、羽根９，１０を左右正対称に見栄えよく開放することができる。
【００２０】
可変入賞装置２８の開放状態で、ソレノイド２９が消磁されると、図７（ｂ）に示すように、左右のピン４０が係合孔部４１の内周面に沿って下降し始める。この下降初期には、右側の係合孔部４１に始動遅れ発生部４２が設けられているため、右羽根１０が左羽根９より所定の時間遅れて閉じ始める。すなわち、左側のピン４０が左側の係合孔部４１の上端から左羽根９を押し下げ、左羽根９が閉鎖方向へ回動し始めたのちに、右側のピン４０が右側の係合孔部４１の途中から右羽根１０を押し下げ、右羽根１０が閉鎖方向へ回動し始める。このときの右羽根１０の始動遅れ量を、図７（ｂ）に左羽根９との高低差ｈで示した。
【００２１】
従って、この可変入賞装置２８によっても、第１実施形態と同様、同時に入賞した２個の遊技球Ｐに左右から不均衡な力を作用させ、遊技球Ｐの横並びを崩し、球詰まりを確実に解消して、左右の羽根９，１０をスムーズに閉鎖することができる。その後、ピン４０がさらに下降すると、図７（ｃ）に示すように、左側のピン４０が左側の係合孔部４１の左端に、右側のピン４０が右側の係合孔部４１の右端にそれぞれ係合し、可変入賞装置２８が閉鎖状態となる。この場合も、左右の係合孔部４１が互いに相似する形状で形成されているため、羽根９，１０を左右正対称の見栄えのよい形態で閉鎖することができる。
【００２２】
なお、本発明は上記実施形態に限定されるものではなく、以下に例示するように、発明の趣旨から逸脱しない範囲で、各部の構成や形状を適宜変更して実施することも可能である。
（１）第１実施形態において、始動遅れ発生部２５を右側の係合凹部２３に設け、右羽根１０を左羽根９よりも遅く閉鎖方向へ始動すること。
（２）第２実施形態において、始動遅れ発生部４２を左側の係合孔部４１に設け、左羽根９を右羽根１０よりも遅く閉鎖方向へ始動すること。
（３）始動遅れ発生部をソレノイドのプランジャと動力伝達部材との連結箇所に設けること。
（４）始動遅れ発生部にスプリングやゴム等の弾性部材を用い、バネ作用によって一方の羽根に閉鎖方向の始動遅れを付与すること。
（５）本発明の可変入賞装置を、パチンコ機において、図柄表示装置と連動しないタイプの普通電動役物として実施すること。
【図面の簡単な説明】
【図１】第１種パチンコ機の遊技盤の正面図である。
【図２】本発明の第１実施形態を示す可変入賞装置の斜視図である。
【図３】同可変入賞装置の開放状態における作用説明図である。
【図４】同可変入賞装置の閉鎖初期状態における作用説明図である。
【図５】同可変入賞装置の閉鎖状態における作用説明図である。
【図６】本発明の第２実施形態を示す可変入賞装置の斜視図である。
【図７】同可変入賞装置の作用説明図である。
【図８】従来の可変入賞装置を示す正面図である。
【符号の説明】
１　　遊技盤
７　　可変入賞装置（第１実施形態）
８　　ケーシング
９　　左羽根
１０　　右羽根
１１　　入球孔
１３　　ソレノイド
１４　　動力伝達部材
２３　　係合凹部
２５　　始動遅れ発生部
２８　　可変入賞装置（第２実施形態）
２９　　ソレノイド
３２　　動力伝達部材
４１　　係合孔部
４２　　始動遅れ発生部
Ｐ　　遊技球
【図１】
2004141300.tif 000003
【図２】
2004141300.tif 000004
【図３】
2004141300.tif 000005
【図４】
2004141300.tif 000006
【図５】
2004141300.tif 000007
【図６】
2004141300.tif 000008
【図７】
2004141300.tif 000009
【図８】
2004141300.tif 000010